(57)【要約】【課題】携帯用超音波ミスト発生装置に特別の外観をもたせ、付加価値を与える。さらに、携帯用超音波ミスト発生装置を美顔術に使用するとき、ミストを他のアイテムと併用し、効率的にエステティック効果が得られるようにする。【解決手段】液柱１１の水平方向一方側において、窓１２がタンク２の側壁に形成される。さらに、ＬＥＤ１３が液柱１１の水平方向他方側に設けられ、窓１２に対向し、ＬＥＤ１３によって液柱１１が照明され、その光が窓１２を透過する。【選択図】図１
2009028072.tif 000002
【特許請求の範囲】
【請求項１】
液体収容タンクと、
前記タンクの底面に設けられ、前記タンクの液体を超音波振動させ、その液面から液柱を噴出させ、前記液柱によってミストを発生させる超音波振動子と、
前記液柱の水平方向一方側において、前記タンクの側壁に形成された窓と、
前記液柱の水平方向他方側に配置され、前記窓に対向し、前記液柱を照明し、その光が前記窓を透過するようにするＬＥＤと、
前記タンクに接続されたノズルと、
エアを前記タンクに送るファンとからなり、
前記エアによって前記ミストを送り、これを前記ノズルから噴出させるようにしたことを特徴とする携帯用超音波ミスト発生装置。
【請求項２】
前記ＬＥＤが前記タンクの側壁に設けられていることを特徴とする請求項１に記載の装置。
【請求項３】
前記ＬＥＤは赤色ＬＥＤであることを特徴とする請求項１に記載の装置。
【請求項４】
複数の種類のＬＥＤが前記液柱の水平方向他方側に配置され、前記窓に対向し、切り換えスイッチが前記各ＬＥＤに接続されており、前記切り換えスイッチによっていずれかのＬＥＤを選択し、選択したＬＥＤによって前記液柱を照明し、その光が前記窓を透過するようにしたことを特徴とする請求項１〜３のいずれかに記載の装置。
【発明の詳細な説明】
【技術分野】
【０００１】
この発明は、携帯用超音波ミスト発生装置に関するものである。
【背景技術】
【０００２】
本願出願前、出願人は新しい形式の携帯用超音波ミスト発生装置を開発し、提案した。特開２００５−１１１３２８号公報（特許文献１）および特開２００６−１４２１１９号公報（特許文献２）に記載されているものがそれである。
【０００３】
各公報の装置は液体収容タンクおよび超音波振動子を有し、超音波振動子はタンクの底面に設けられる。したがって、超音波振動子によってタンクの液体を超音波振動させ、その液面から液柱を噴出させ、液柱によってミストを発生させることができる。そのミストはきわめて小さい。さらに、ノズルがタンクに接続され、エアがタンクに送られ、エアによってミストが送られ、これがノズルから噴出する。したがって、たとえば、この装置を美顔術に使用し、ミストを顔に吹き付け、皮膚に吸収させることができる。
【０００４】
ところで、美顔術という市場の必要上、この装置に特別の外観をもたせ、付加価値を与えることが要望されている。ミストを他のアイテムと併用し、効率的にエステティック効果が得られるようにすることも要望されている。
【０００５】
したがって、この発明の目的は、携帯用超音波ミスト発生装置に特別の外観をもたせ、付加価値を与えることにある。他の目的は、携帯用超音波ミスト発生装置を美顔術に使用するとき、ミストを他のアイテムと併用し、効率的にエステティック効果が得られるようにすることにある。
【特許文献１】特開２００５−１１１３２８号公報
【特許文献２】特開２００６−１４２１１９号公報
【発明の開示】
【０００６】
この発明によれば、液体収容タンクが超音波振動子と組み合わされ、超音波振動子はタンクの底面に設けられる。したがって、超音波振動子によってタンクの液体を超音波振動させ、その液面から液柱を噴出させ、液柱によってミストを発生させることができる。さらに、液柱の水平方向一方側において、窓がタンクの側壁に形成される。さらに、ＬＥＤが液柱の水平方向他方側に配置され、窓に対向し、ＬＥＤによって液柱が照明され、その光が窓を透過する。さらに、ノズルがタンクに接続され、エアがタンクに送られる。したがって、エアによってミストが送られ、これがノズルから噴出する。
【０００７】
好ましい実施例では、ＬＥＤがタンクの側壁に設けられる。
【０００８】
ＬＥＤは赤色ＬＥＤである。
【０００９】
複数の種類のＬＥＤを液柱の水平方向一方側に配置し、窓に対向させ、切り換えスイッチを各ＬＥＤに接続してもよい。この場合、切り換えスイッチによっていずれかのＬＥＤを選択し、選択したＬＥＤによって液柱を照明し、その光が窓を透過するようにすることができる。
【発明を実施するための最良の形態】
【００１０】
以下、この発明の実施例を説明する。
【００１１】
図１はこの発明にかかる携帯用超音波ミスト発生装置を示す。この装置はケース１、液体収容タンク２および超音波振動子３を有する。ケース１は片手で握り、持つことができる大きさのものである。タンク２はケース１の上部に内臓されており、超音波振動子３はタンク２の底面に設けられている。この実施例では、タンク２に透過膜４が設けられ、タンク２が上部と下部に分割され、超音波振動子３は下部の底面に設けられている。さらに、タンク２の下部に液体５が充填され、透過膜４によってそれが封入されており、タンク２の上部に液体６が導入される。透過膜４は樹脂製の薄膜シートからなる。
【００１２】
さらに、電子装置７およびパワートランジスタ８がケース１の下部に内蔵され、超音波振動子３に接続されており、電子装置７およびパワートランジスタ８によって超音波振動子３を駆動し、超音波９を発振させることができる。超音波９は透過膜４を透過する。その方向は超音波振動子３に垂直の方向である。したがって、超音波振動子３によってタンク２の液体５，６を超音波振動させ、その液面１０から液柱１１を噴出させ、液柱１１によってミストを発生させることができる。そのミストはきわめて小さい。
【００１３】
なお、透過膜４は水平に配置されているが、超音波振動子３は一定角度傾斜し、超音波９は透過膜４に垂直ではなく、斜めに導かれる。したがって、透過膜４に達したとき、超音波９が超音波振動子３に反射することはなく、反射した超音波９によって超音波振動子３が損傷することはない。
【００１４】
さらに、この装置では、液柱１１の一方側において、窓１２がタンク２の側壁に形成されている。さらに、ＬＥＤ１３が液柱１１の他方側に配置され、窓１２に対向し、ＬＥＤ１３によって液柱１１が照明され、その光が窓１２を透過する。この実施例では、ＬＥＤ１３がタンク２の側壁に設けられている。ＬＥＤ１３は赤色ＬＥＤである。
【００１５】
さらに、この装置はタンク２に接続されたノズル１４を有し、ノズル１４はケース１の上端に設けられており、その外部に突出する。さらに、ノズル１４とタンク２間に流路１５が形成されている。さらに、ファン１６がケース１の下部に内蔵されている。ファン１６はエアを送るためのもので、シロッコファンからなる。さらに、ファン１６とタンク２間に流路１７が形成されている。
【００１６】
さらに、スリット１８がケース１の側壁に形成されており、ファン１６に対向する。したがって、エアがスリット１８から吸い込まれ、流路１７を通り、タンク２に送られる。さらに、エアによってミストが送られ、これが流路１５を通り、ノズル１４から噴出する。したがって、たとえば、この装置を美顔術に使用し、ミストを顔に吹き付け、皮膚に吸収させることができる。液体５，６は水からなる。
【００１７】
したがって、この装置の場合、液面から液柱１１が噴出しているとき、ＬＥＤ１３によって液柱１１が照明され、その光が窓１２を透過する。したがって、ケース１の外部において、窓１２から液柱１１が見えるが、液柱１１が噴出しているとき、その状態は種々に変化し、幻想的である。この結果、この装置に特別の外観をもたせ、付加価値を与えることができる。
【００１８】
さらに、ミストを顔に吹き付けるだけではなく、ＬＥＤ１３の光が窓１２を透過するとき、その光を顔に照射することができる。ＬＥＤ１３の光にエステティック効果があることは周知のとおりである。したがって、この装置を美顔術に使用するとき、ミストをＬＥＤ１３の光と併用し、効率的にエステティック効果が得られるようにすることができる。
【００１９】
さらに、赤色ＬＥＤの場合、その光に皮膚湿潤効果があることも周知のとおりである。したがって、この実施例のように、ＬＥＤ１３に赤色ＬＥＤを使用すると、ミストとＬＥＤ１３の光を併用し、皮膚を効果的に湿潤させることができる。
【００２０】
なお、この装置では、カバー１９がタンク２と組み合わされ、液面１０の上方に配置されている。カバー１９はドーム状のもので、平面から見て多角形状のものであり、多数のコーナーを有する。したがって、液面１０から液柱１１が噴出するとき、カバー１９に液柱１１が衝突し、カバー１９によって液柱１１の高さが制限される。この結果、装置全体をコンパクト化することができる。さらに、液柱１１が衝突したとき、そのしずくがカバー１９の下面に案内され、カバー１９の下面に沿って移動し、各コーナーから落下する。この結果、コンパクト化によってミストの量が減少しないようにすることができ、好ましい。
【００２１】
さらに、ノズル１４とタンク２間の流路１５がタンク２の水平断面中央部の上方を経由し、タンク２に開口し、ファン１６とタンク２間の流路１７も同様である。したがって、装置全体を傾けても、タンク２の液体が流路１７を通り、ファン１６に流れることはない。タンク２の液体が流路１５を通り、ノズル１４からこぼれることもない。
【００２２】
さらに、図２に示すように、ファン１６の下流位置において、ヒートシンク筒２０によって流路１７が形成され、パワートランジスタ８がヒートシンク筒２０に取り付けられている。ヒートシンク筒２０はアルミニウムなどの伝熱性材料からなる。したがって、ファン１６によってエアが送られるとき、そのエアおよびヒートシンク筒２０によってパワートランジスタ８を空冷することができる。
【００２３】
図３に示すように、複数の種類のＬＥＤ１３を液柱１１の水平方向他方側に配置し、窓１２に対向させ、切り換えスイッチを各ＬＥＤ１３に接続してもよい。たとえば、赤色、青色、橙色、緑色および赤外線ＬＥＤをそれぞれ配置し、切り換えスイッチを各ＬＥＤに接続してもよい。この場合、切り換えスイッチによっていずれかのＬＥＤ１３を選択し、選択したＬＥＤ１３によって液柱１１を照明し、その光が窓１２を透過するようにすることができる。したがって、窓１２から見える液柱１１に異なる色をもたせ、外観に異質の興趣を与えることができる。窓１２を透過するとき、その光を顔に照射し、エステティック効果として異なる効果が得られるようにすることもできる。
【００２４】
この装置を美顔術ではなく、他の目的に使用することも考えられる。たとえば、液体６に薬剤を使用し、ミストに金属イオンや薬効成分を含ませ、これを皮膚に吸収させ、医用目的に使用することも考えられる。屋内または屋外において、ミストとして芳香剤、消臭剤または殺虫剤を散布することも考えられる。
【図面の簡単な説明】
【００２５】
【図１】この発明の実施例を示す断面図である。
【図２】図１のファンおよびヒートシンク筒の断面図である。
【図３】他の実施例を示す断面図である。
【符号の説明】
【００２６】
２  液体収容タンク
３  超音波振動子
５，６  液体
１０  液面
１１  液柱
１４  ノズル
１２  窓
１３  ＬＥＤ
１４  ノズル
１６  ファン
【図１】
2009028072.tif 000003
【図２】
2009028072.tif 000004
【図３】
2009028072.tif 000005